(57)【要約】  【課題】カウンタの値が示す状況（状態）を看者に対して明確に伝える。  【解決手段】表示装置１の表示部１９の所定の表示領域には、カウンタの値（３５６など）、付帯メッセージ（現在の入場者数、人）、および区分メッセージ（各エリアにスタッフを２人配置など）がそれぞれ表示される。カウンタの値は、カウンタの値が属する複数の区分の区分ごとに設定されている表示態様データに基づく表示態様で表示される。例えば、当該区分の示す状況（状態）が緊急事態であるような区分の表示態様データは、カウンタの値を目立つ色で強調表示して点滅させるように設定されている。また、区分メッセージは、カウンタの値が属する複数の区分の区分ごとに指定されたメッセージデータに従って表示される。【選択図】  図１０
2005274798.tif 000002
【特許請求の範囲】
【請求項１】
カウント値を記憶する記憶部と、カウント値を表示する表示部と、イベントの発生を検出してカウント値を更新する制御部とを備えた表示装置において、
前記記憶部は、カウント値を複数の区分に区分する境界情報と、前記区分ごとの区分表示態様情報とを更に記憶し、
前記制御部は、カウント値が属する前記いずれかの区分の区分表示態様情報に基づく表示態様でカウント値を前記表示部に表示させることを特徴とする表示装置。
【請求項２】
請求項１に記載の表示装置において、
前記記憶部は前記区分ごとの区分メッセージを更に記憶し、前記制御部はカウント値が属する前記いずれかの区分の区分メッセージを前記表示部に表示させることを特徴とする表示装置。
【請求項３】
請求項１または請求項２に記載の表示装置において、
信号を出力する信号出力部を更に備え、前記制御部はカウント値が属する前記区分に応じた信号を前記信号出力部に出力させることを特徴とする表示装置。
【請求項４】
請求項１ないし請求項３のいずれかに記載の表示装置において、
前記記憶部にはイベント設定回数とカウント増分値とが更に記憶され、前記制御部は前記イベントが前記イベント設定回数だけ発生したときにカウント値を前記カウント増分値によって更新することを特徴とする表示装置。
【請求項５】
請求項１ないし請求項４のいずれかに記載の表示装置において、
複数の信号を入力する信号入力部を更に備え、前記制御部は前記複数の入力信号に対して論理演算を施した結果を前記イベントとして扱うことを特徴とする表示装置。
【請求項６】
請求項１ないし請求項４のいずれかに記載の表示装置において、
複数の信号を入力する信号入力部を更に備え、前記制御部は、前記複数の入力信号のいずれかによる前記イベントの発生を検出したときはカウント値を増加させ、前記複数の入力信号の他のいずれかによる前記イベントの発生を検出したときはカウント値を減少させることを特徴とする表示装置。
【請求項７】
請求項１ないし請求項６のいずれかに記載の表示装置において使用されるデータであって、
前記カウント値の初期値と、前記カウント値を複数の区分に区分するための境界情報と、前記区分ごとの区分表示態様情報とを備えたデータ構造を有するデータ。
【請求項８】
請求項１ないし請求項６のいずれかに記載の表示装置において使用されるデータを作成するデータ作成装置であって、
前記カウント値の初期値と、前記カウント値を複数の区分に区分するための境界情報と、前記区分ごとの区分表示態様情報とを備えたデータ構造を有するデータを作成して出力することを特徴とするデータ作成装置。
【発明の詳細な説明】
【技術分野】
【０００１】
本発明は、時間の経過等によって発生するイベントをカウントし、カウントした結果を表示する機能を有する表示装置に関するものである。
【背景技術】
【０００２】
従来から表示装置内部にカウンタを設け、１日、１時間等が経過するごとにカウンタの値を＋１または−１し、カウンタの値を表示する機能を有する表示装置が広く使用されている。例えば、１時間が経過するごとにカウンタの値を１つずつ減らしながら、「オリンピックまで１２３４時間」のように表示する。ここで、「１２３４」がカウンタの値であり、「オリンピックまで」および「時間」が付帯メッセージである。
【０００３】
また、後記の特許文献１には、カウンタの値を表示する表示装置ではないが、通常表示されるデータ、各月に表示されるデータ、各曜日に表示されるデータ、設定された日付に表示されるデータ、設定された時間帯に表示されるデータ等をメモリーに記憶させておき、現在の日付および時刻に該当するデータを順番に表示する表示装置、および当該表示装置で表示される表示データを作成する装置が示されている。
【０００４】
【特許文献１】特開平２−０１３５３９１号公報（第３頁左上欄第８行〜第５頁左上欄第９行、図４〜図７）
【発明の開示】
【発明が解決しようとする課題】
【０００５】
しかしながら、上記従来のものにおいては、例えば、１時間ごとにカウンタを＋１または−１するような単純な方法でカウントした結果を表示するだけであるので、表示装置としての汎用性に欠け、利用分野も限定されてしまうという問題がある。また、カウンタの値と一定の付帯メッセージとが一定の表示態様で表示されるだけであるので、看者はカウンタの値から当該値が示す状況（状態）を判断しなければならず、カウンタの値に応じて何らかの注意を喚起し、または警告を伝える点において十分ではないという問題もある。
【０００６】
本発明は、上記問題点を解決するものであって、その課題とするところは、カウンタの値が示す状況（状態）を看者に対して明確に伝えることのできる表示装置を提供することにある。また、当該表示装置において使用されるデータおよび当該データを作成するデータ作成装置を提供することを課題とする。
【課題を解決するための手段】
【０００７】
本発明の表示装置は、カウント値を記憶する記憶部と、カウント値を表示する表示部と、イベントの発生を検出してカウント値を更新する制御部とを備えた表示装置において、記憶部は、カウント値を複数の区分に区分する境界情報と、区分ごとの区分表示態様情報とを更に記憶し、制御部は、カウント値が属するいずれかの区分の区分表示態様情報に基づく表示態様でカウント値を表示部に表示させる。
【０００８】
このようにすることで、制御部は境界情報からカウント値が属する区分を求め、当該区分の区分表示態様情報を得ることができる。これにより、カウント値が属する区分の区分表示態様情報に基づく表示態様でカウント値が表示部に表示され、カウント値の状況（状態）を看者に明確に伝えることができる。例えば、ある区分の区分表示態様情報を、注意を喚起するような、または警告を発するような表示態様の情報としておくことによって、カウント値の状況に応じて確実に何らかの注意を喚起し、または警告を伝えることができる。
【０００９】
本発明においては、記憶部は区分ごとの区分メッセージを更に記憶し、制御部はカウント値が属するいずれかの区分の区分メッセージを表示部に表示させる。このようにすることで、区分メッセージが更に表示されるので、看者はカウント値の状況（状態）を容易に理解することができる。
【００１０】
また、本発明においては、信号を出力する信号出力部を更に備え、制御部はカウント値が属する区分に応じた信号を信号出力部に出力させる。このようにすることで、例えば、出力信号によって警告灯、警報ブザーを駆動することによって、看者にカウント値の状態を一層確実に伝えることができる。
【００１１】
さらに、本発明においては、記憶部にはイベント設定回数とカウント増分値とが更に記憶され、制御部はイベントがイベント設定回数だけ発生したときにカウント値をカウント増分値によって更新する。このようにすることで、多様な方法でカウンタを更新することが可能となり、表示装置の汎用性が向上し、広い利用分野または用途で表示装置を使用することが可能となる。
【００１２】
さらに、本発明においては、複数の信号を入力する信号入力部を更に備え、制御部は複数の入力信号に対して論理演算を施した結果をイベントとして扱う。このようにすることで、入力信号の各種の変化に対してカウンタを更新することが可能となり、表示装置の汎用性が向上し、広い利用分野または用途で表示装置を使用することが可能となる。
【００１３】
さらに、本発明においては、複数の信号を入力する信号入力部を更に備え、制御部は、複数の入力信号のいずれかによるイベントの発生を検出したときはカウント値を増加させ、複数の入力信号の他のいずれかによるイベントの発生を検出したときはカウント値を減少させる。このようにすることで、入力信号の変化に対してカウントアップおよびカウントダウンの両方法でカウンタを更新することが可能となり、表示装置の汎用性が向上し、広い利用分野または用途で表示装置を使用することが可能となる。
【００１４】
また、本発明のデータは、上記発明にかかる表示装置において使用されるデータであって、カウント値の初期値と、カウント値を複数の区分に区分するための境界情報と、区分ごとの区分表示態様情報とを備えたデータ構造を有するデータである。このデータを表示装置の記憶部に記憶させることにより、このデータに基づいて上記発明にかかる表示装置が動作する。
【００１５】
さらに、本発明のデータ作成装置は、上記発明にかかる表示装置において使用されるデータを作成する装置であって、カウント値の初期値と、カウント値を複数の区分に区分するための境界情報と、区分ごとの区分表示態様情報とを備えたデータ構造を有するデータを作成して出力する。このデータ作成装置で作成されたデータを表示装置の記憶部に記憶させることにより、このデータに基づいて上記発明にかかる表示装置が動作する。
【発明の効果】
【００１６】
本発明によれば、カウンタの値に応じた表示態様でカウンタの値が表示されるので、カウンタの値が示す状況（状態）を看者に明確に伝えることができる。
【発明を実施するための最良の形態】
【００１７】
図１は、本発明に係る表示装置１のブロック図である。図の下方に示されているのは、表示装置１で使用される後述の設定データ等を作成するパーソナルコンピュータ２（データ作成装置）と、そこで作成されたデータを表示装置１に設定するときに使用されるメモリーカード３である。この表示装置１は複数、例えば４つのカウンタ（以下、第１〜第４カウンタともいう）を備えており、各カウンタは独立して動作するようになっている。時間の経過、入力信号の変化等のイベントが発生すると、各カウンタの値が個別に更新され、その値（以下、「カウント値」ともいう）が表示部１９に表示される。また、表示部１９にカウント値が表示されるカウンタの番号（第１〜第４カウンタのうちの１つまたは複数）およびカウント値が表示される位置（座標）は上記の設定データに基づいて決められるようになっている。
【００１８】
まず、表示装置１の構成について説明する。マイクロプロセッサ等からなるＣＰＵ１１には、インタフェイス部１２、ＲＯＭ１３、ＲＡＭ１４、フラッシュメモリー１５、カレンダーＩＣ１６、表示コントローラ１７、信号入力部２０および信号出力部２１が接続されている。表示コントローラ１７には、表示ドライバ１８を介して表示部１９が接続される。また、ＣＰＵ１１は計時回路を内蔵しており、一定の周期で割り込み信号が発生するようになっている。
ＲＯＭ１３にはＣＰＵ１１によって実行されるプログラムが格納されている。ＲＡＭ１４は各種データの記憶領域およびＣＰＵ１１の演算作業領域として使用される。上記の４つのカウンタはＲＡＭ１４の記憶領域に確保される。つまり、カウント値はＲＡＭ１４に記憶されている。
【００１９】
フラッシュメモリー１５には、表示部１９に表示されるメッセージ用のメッセージデータおよびカウンタの初期値などの設定データ、ならびにメッセージおよびカウント値を表示するための一部のプログラムなどが格納されている。これらの設定データおよびプログラムは、後述する設定データ作成ソフトウエアなどがインストールされたパーソナルコンピュータ２上で作成されたものである。上記の設定データを記憶するフラッシュメモリー１５およびカウント値を記憶するＲＡＭ１４が本発明の記憶部に相当する。尚、ＲＡＭ１４が不揮発性メモリーであれば、上記の設定データや一部のプログラムをＲＡＭ１４に記憶させればよいので、フラッシュメモリー１５は不要となる。
【００２０】
カレンダーＩＣ１６には、年、月、日、時、分、秒のデータ（以下、「日時データ」という）が保持されており、この日時データがＣＰＵ１１によって読み出されることにより、時間の経過が判断される。
インタフェイス部１２は、パーソナルコンピュータ２との通信インタフェイス、メモリーカードリーダ等で構成される。パーソナルコンピュータ２で作成された上記の設定データ等は、通信ラインまたはメモリーカード３を介してインタフェイス部１２から読み込まれ、フラッシュメモリー１５に書き込まれる。
【００２１】
表示コントローラ１７は、表示部１９に表示される文字、図形、イメージなどからなる表示データと、表示データを表示する態様を規定する表示態様データとをＣＰＵ１１から受け取り、両データから表示信号を生成し、それを表示ドライバ１８を介して表示部１９に表示させる。表示態様データには、点滅表示、反転表示等の表示モードデータ、影表示、強調表示等の表示スタイルデータ、表示色および背景色のデータ等がある。表示部１９は、格子状に配列された多数の発光ダイオードで構成される。各発光ダイオードをオン／オフさせることにより、上記の表示データが表示される。また、各位置に赤、緑、青の発光ダイオードを配することにより、カラー表示が行われる。表示部１９の表示領域の何処に何を表示させるかは、上述の設定データの１つである表示制御データの内容に従って決められる。
【００２２】
図２は表示部１９の表示例を示す図である。図２（ａ）では、第１カウンタの値（３５６）、付帯メッセージ（現在の入場者数、人）および区分メッセージ（各エリアにスタッフを２人配置）が表示部１９の所定の表示領域にそれぞれ表示されている。区分メッセージはカウント値に応じた内容のメッセージであり、詳細については後述する。図２（ｂ）では、第３カウンタの値（２５６０）および付帯メッセージ（本日の生産台数）が表示部１９の所定の表示領域にそれぞれ表示されている。また、その下方の表示領域には、第４カウンタの値（１１５）、付帯メッセージ（本日の不良品台数）および区分メッセージ（不良品が多い！注意！）がそれぞれ表示されている。
【００２３】
図１の説明に戻る。信号入力部２０には１２個の入力信号ＩＮ１〜ＩＮ１２が入力され、各信号は一定の周期で（例えば、１００ｍ秒ごとに）ＣＰＵ１１によって検査される。状態の変化（例えば、ローからハイへの遷移）が検出されると、後述の設定データの内容に従ってカウント値が更新される。この入力信号ＩＮ１〜ＩＮ１２の送り元にはセンサ、スイッチ等の入力機器が接続される。従って、センサが何かを検出したり、スイッチが押されると、入力信号ＩＮ１〜ＩＮ１２が変化する。以下の説明では、各入力信号ＩＮ１〜ＩＮ１２を特定しない場合には、単に「入力信号ＩＮ」と表す。
【００２４】
信号出力部２１からは１２個の出力信号ＯＵＴ１〜ＯＵＴ１２が出力され、この先には警告灯、警報ブザー等の出力機器が接続される。また、出力信号ＯＵＴ１〜ＯＵＴ１２をホスト（不図示）へ送るようにしてもよい。出力信号ＯＵＴ１〜ＯＵＴ１２は、後述の設定データの内容に従ってカウント値に応じて出力されるが、詳細については後述する。以下の説明では、各出力信号ＯＵＴ１〜ＯＵＴ１２を特定しない場合には、単に「出力信号ＯＵＴ」と表す。
【００２５】
図３はカウント値の区分を示す図である。カウント値はイベントが発生するたびに増加または減少する。本発明では、カウント値を複数の区分に分けて管理している。図３（ａ）は、区分＃１〜＃５の５つの区分に分け、その境界値を境界値＃１〜＃４とした例を示す。ここでは、境界値＃１を９００、境界値＃２を８００、境界値＃３を−８００、境界値＃４を−９００としている。従って、カウント値が９００以上であれば区分＃１に属し、８００〜８９９であれば区分＃２に属し、−８００〜＋７９９であれば区分＃３に属し、−９００〜−８０１であれば区分＃４に属し、−９０１以下であれば区分＃５に属することになる。
【００２６】
図３（ｂ）は、区分＃１〜＃３の３つの区分に分け、その境界値を境界値＃１、＃２とした例を示す。図３（ｃ）は、区分＃１、＃２の２つの区分に分け、その境界値を境界値＃１とした例を示す。ここでは、区分個数が５つ、３つ、２つである場合について示したが、区分個数は、これらに限られるものではない。また、図３（ａ）〜（ｃ）では、各境界値は上／下警告値または上／下注意値として示されているが、これは単なる一例であって、各境界値に表示装置１が使用される状況に応じた意味を持たせて使用すればよい。
【００２７】
図４は、フラッシュメモリー１５に記憶されている設定データの構造を示す図である。図４（ａ）は上記設定データの全体構造を示す図である。第１〜第４カウンタ用データは、第１〜第４カウンタの初期値、区分個数などのカウンタの動作を規定するデータであり、各カウンタ用データには独自のデータが設定される。表示制御データは、表示部１９に表示されるカウンタの番号、付帯メッセージの有無、ならびに各カウント値、付帯メッセージおよび区分メッセージが表示される表示部１９の表示領域の座標からなる。表示プログラムは表示制御データに従って各カウント値などを表示部１９の指定された表示領域に表示する。付帯メッセージ（１）〜（ｎ）は付帯メッセージのデータであり、区分メッセージ（１）〜（ｍ）は区分メッセージのデータである。
【００２８】
図４（ｂ）はカウンタ用データの詳細を示す。カウンタ制御データはカウンタの初期値などのデータである。「区分個数」および「境界値＃１、＃２」は、それぞれ図３（ｂ）に示される区分の個数および各境界値である。区分＃１データ〜区分＃３データは、カウント値が当該区分に属するときのカウント値の表示態様などを規定するデータである。
【００２９】
図４（ｃ）はカウンタ制御データの詳細を示す。「初期値」はカウンタが動作を開始するときの初期値である。「カウント方法」は、イベントが発生したときにカウンタの値を増加させるか（カウントアップ）、または減少させるか（カウントダウン）を規定する。「カウント条件」は、日時または入力信号ＩＮのいずれをイベントとするかを規定する。日時をイベントとする場合には、年、月、日、時、分、秒のいずれをイベントとするかを更に規定する。例えば、「時」をイベントとすると設定されている場合には、時刻が０分０秒を通過するときにイベントが発生し、１時間ごとにカウンタが更新される。
【００３０】
「入力信号条件」は、上記の「カウント条件」が入力信号ＩＮと設定されているときにのみ有効で、入力信号ＩＮの変化等がイベントとなる条件を規定する。ここには、以下の４つが規定されている。第１に、イベントを発生させる入力信号ＩＮの番号。第２に、複数の入力信号ＩＮに対して論理演算（論理積、論理和、排他的論理和）を行うときの論理演算の方法および論理演算の対象となる入力信号ＩＮの番号。第３に、カウンタを「カウント方法」で規定された方法とは逆の方法で更新する（以下、これを「逆カウント」という）入力信号ＩＮの番号。例えば、「カウント方法」がカウントアップと設定されているときには、当該入力信号ＩＮによるイベントはカウンタをカウントダウンさせる。第４に、入力信号ＩＮの立ち上がりまたは立ち下がりのいずれをイベントとするかの情報。以上の「入力信号条件」の設定により、以下のことを行うことができる。例えば、入力信号ＩＮ１がローからハイに変化するとカウントアップし、入力信号ＩＮ２がローからハイに変化するとカウントダウンする。また、入力信号ＩＮ３と入力信号ＩＮ４との論理積がハイからローに変化するとカウントアップする。
【００３１】
「イベント設定回数」は、カウンタが更新されるために必要なイベントの発生回数である。例えば、「カウント条件」が「時」と設定され、「イベント設定回数」が３と設定されているときは、１時間ごとにイベントが発生し、３時間ごとにカウンタが更新される。「カウント増分」は、カウンタが更新されるときの更新数である。例えば、「カウント増分」が５と設定されているときは、５ずつカウンタがカウントアップ（または、カウントダウン）される。この「イベント設定回数」と「カウント増分」とを組み合わせることによって各種の態様でカウンタを更新することができる。例えば、「カウント条件」が「秒」と設定され、「イベント設定回数」が７と設定され、「カウント増分」が３と設定されているときは、７秒ごとに３ずつカウントアップし、平均すると３／７秒ごとに１ずつカウントアップすることになる。
【００３２】
図４（ｄ）は区分データの詳細を示す。「表示色」はカウント値が表示されるときの表示色を規定する。「背景色」はカウント値の背景の色を規定する。「表示モード」はカウント値の表示モード（通常表示、点滅表示、反転表示など）を規定する。「表示スタイル」はカウント値の表示スタイル（通常表示、影表示、強調表示など）を規定する。以下では、「表示色」、「背景色」、「表示モード」および「表示スタイル」を表示態様データ（表示態様情報）とよぶ。ある区分におけるカウント値の表示を目立たせるために、例えば、当該区分の表示態様データは、「表示色」が赤、「背景色」が緑、「表示モード」が点滅表示、「表示スタイル」が強調表示と設定される。カウント値が表示される際には、カウント値と上記の表示態様データとがＣＰＵ１１を介して表示コントローラ１７に送られる。表示コントローラ１７は、カウント値を表示態様データに基づく表示態様によって上記の表示制御データで指定された表示部１９の表示領域に表示させる。
【００３３】
「出力条件」は、当該区分において出力される出力信号ＯＵＴの番号、およびカウント値が当該区分に属する限り定常的に出力信号ＯＵＴを出力するか、または他の区分から当該区分に移行したときに一時的に（例えば、１秒間だけ）出力信号ＯＵＴを出力するかなどを規定する。例えば、カウント値がある区分に属している間は出力信号ＯＵＴ１と出力信号ＯＵＴ２とを定常的に出力するように設定することができる。さらに、カウント値が当該区分に属しているときに区分メッセージを表示部１９に表示するか否かを規定する。区分メッセージ番号は、「出力条件」が区分メッセージを表示すると設定されているときに、表示される区分メッセージの番号を規定する。例えば、区分メッセージ番号が２であるときは、区分メッセージ（２）（図４（ａ）参照）が表示される。
【００３４】
次に、図５〜図７を参照して表示装置１の動作を説明する。図５は初期化処理を示すフローチャート、図６はカウント処理を示すフローチャート、図７は表示処理を示すフローチャートである。表示装置１は４つのカウンタを備えるが、各カウンタの初期化処理は同様であり、各カウンタのカウント処理はそれぞれのカウンタ制御データに従って同様に行われ、各カウンタの表示処理はそれぞれの区分データ（表示態様データなど）に基づいて同様に行われるので、ここでは１つのカウンタについて説明する。
【００３５】
まず、図５を参照して初期化処理について説明する。上述のように、インタフェイス部１２を介して設定データがフラッシュメモリー１５に書き込まれると、初期化処理が起動され、カウンタ制御データ中の「初期値」がカウンタに設定される（Ｓ１）。次に、この「初期値」が旧カウンタにも設定される（Ｓ２）。次に、補助カウンタに０が設定され（Ｓ３）、呼び出し元に戻る。カウンタ、旧カウンタおよび補助カウンタは、ＲＡＭ１４に領域を確保された変数である。旧カウンタは、カウンタが更新される前のカウンタの値を保持する変数である。補助カウンタは、設定データ「イベント設定回数」が１以外であるときに必要になる変数であり、カウンタが更新されるまでのイベントの発生回数を保持する変数である。上記の初期化処理は、リセットスイッチ（不図示）が押されたときにも実行される。
【００３６】
次に、図６を参照してカウント処理について説明する。カウント処理とは、イベントの発生を検出してカウンタを更新する処理である。このカウント処理のプログラムは一定の周期で（例えば、１００ｍ秒ごとに）起動される。このプログラムが起動されると、ＲＡＭ１４に領域が確保されている逆カウントフラグに０が設定される（Ｓ１１）。後述のように、逆カウントフラグが０であるときは設定データ「カウント方法」に従ってカウンタが更新され、１であるときは逆カウントによってカウンタが更新される。次に、「カウント条件」が入力信号ＩＮによるか否かが判断され（Ｓ１２）、入力信号ＩＮによる場合は、入力信号ＩＮが信号入力部２０を介してＣＰＵ１１によって取得される（Ｓ１３）。
【００３７】
次に、入力信号ＩＮの状態および「入力信号条件」からイベントが発生しているか否か、および逆カウントの条件が成立しているか否かが調べられる（Ｓ１４）。具体的には、このプログラムが前回に実行されたときの入力信号ＩＮの状態（これはＲＡＭ１４に記憶されている）とＳ１３で取得された入力信号ＩＮの状態とを比較することにより、入力信号ＩＮに変化があったか否かが調べられる。また、「入力信号条件」を調べて、イベントの対象となる入力信号ＩＮの番号の判断や複数の入力信号ＩＮに対する論理演算等が行われる。さらに、逆カウントを行うと設定されている入力信号ＩＮが変化したか否かも調べられる。
【００３８】
次に、Ｓ１４で調べた結果からイベントが発生しているか否かが判断され（Ｓ１５）、発生していない場合は呼び出し元に戻る。発生している場合は、Ｓ１４で調べた結果から逆カウントの条件が成立しているか否かが判断される（Ｓ１６）。成立している場合は逆カウントフラグに１を設定して（Ｓ１７）、Ｓ１８に進む。成立していない場合は何もせずにＳ１８に進む。Ｓ１８では、補助カウントを１だけ増やす。次に、補助カウンタの値と「イベント設定回数」とが等しいか否かが判断される（Ｓ１９）。等しくない場合は呼び出し元に戻る。等しい場合は、次回のイベントの発生に備えて補助カウンタに０が設定される（Ｓ２０）。
【００３９】
次に、「カウント方法」がカウントアップであるか否かが判断される（Ｓ２１）。カウントアップである場合は、逆カウントフラグが０であるか否かが判断され（Ｓ２２）、０である場合はカウンタに「カウント増分」が加算され（Ｓ２３）、０でない場合はカウンタから「カウント増分」が減算される（Ｓ２５）。Ｓ２１でカウントアップと判断されなかった場合（カウントダウンである場合）は、逆カウントフラグが０であるか否かが判断され（Ｓ２４）、０である場合はカウンタから「カウント増分」が減算され（Ｓ２５）、０でない場合はカウンタに「カウント増分」が加算される（Ｓ２３）。上記のＳ２３またはＳ２５が実行された後、呼び出し元に戻る。
【００４０】
Ｓ１２で「カウント条件」が入力信号ＩＮによると判断されなかった場合は、日時が「カウント条件」であるので、ＣＰＵ１１によってカレンダーＩＣ１６から日時データが取得される（Ｓ２６）。次に、取得された日時データおよび「カウント条件」からイベントが発生しているか否かが調べられる（Ｓ２７）。具体的には、このプログラムが前回に実行されたときの日時データ（このデータはＲＡＭ１４に記憶されている）とＳ２６で取得された日時データとを比較することにより、「カウント条件」で指定されている日、時、分等のいずれかの境界時刻を通過したかが調べられる。次に、Ｓ２７で調べた結果からイベントが発生しているか否かが判断され（Ｓ２８）、発生していない場合は呼び出し元に戻る。発生している場合は、前述のＳ１８に進み、その後、カウンタが更新される。
【００４１】
次に、図７を参照して表示処理について説明する。表示処理では、上述の表示制御データで指定されたカウント値、付帯メッセージなどが表示部１９の所定の表示領域に表示されるが、このような処理は従来から行われているので、本発明にかかるカウント値の表示および区分メッセージの表示などについてフローチャートに沿って説明する。このフローチャートに示されるプログラムは一定の周期で（例えば、３００ｍ秒ごとに）起動される。プログラムが起動されると、カウンタの値と旧カウンタの値とが同じであるか否かが判断される（Ｓ３１）。同じである場合は、前回の表示処理のときからカウンタの値は変化していないので、何もせずに呼び出し元に戻る。同じではない場合は、カウンタの値の属する区分（以下、現区分という）および旧カウンタの値が属する区分（以下、旧区分という）を求める（Ｓ３２）。両区分は、設定データである区分個数および各境界値を参照して求められる。
【００４２】
次に、現区分と旧区分とが同じであるか否かが判断される（Ｓ３３）。両区分が同じではない場合は、まず、カウンタの値が現区分の表示態様データ（図４（ｄ）の表示色〜表示スタイル）に基づく表示態様で所定の表示領域に表示される（Ｓ３４）。この際、付帯メッセージがあれば、これも一緒に一定の表示態様（例えば、表示色がオレンジ色、背景色が黒色の通常表示）で所定の表示領域に表示される。次に、現区分の「出力条件」（図４（ｄ）参照）が区分メッセージを表示すると設定されているか否かが判断される（Ｓ３５）。表示しないと設定されている場合は、Ｓ３７へ進む。表示すると設定されている場合は、区分メッセージ番号で指定された区分メッセージが一定の表示態様で所定の表示領域に表示される（Ｓ３６）。
【００４３】
次に、旧区分の「出力条件」によって出力されている出力信号ＯＵＴがあれば、当該信号の出力を解除する（Ｓ３７）。次に、現区分の「出力条件」に従って出力信号ＯＵＴを出力する（Ｓ３８）。これにより、例えば、出力信号ＯＵＴ１が一時的に出力される。または、現区分が他の区分に移行するまで出力信号ＯＵＴ１が定常的に出力される。次に、旧カウンタにカウンタの値が設定される（Ｓ３９）。これにより、上記のＳ３１においてカウンタの値が変化したか否かを判断することが可能となる。その後、呼び出し元に戻る。Ｓ３３で両区分が同じであると判断された場合は、Ｓ３４と同様にしてカウンタの値が現区分の表示態様データに基づく表示態様で所定の表示領域に表示され（Ｓ４０）、旧カウンタにカウンタの値が設定されて（Ｓ４１）、呼び出し元に戻る。
【００４４】
次に、図８〜図１０を参照して本発明の表示装置１の使用例を説明する。本使用例では、４つのカウンタのうち、第１カウンタの値のみが表示部１９に表示される。図８は使用例の構成を示す図である。図９は使用例の設定データを示す図である。図１０は使用例の表示内容を示す図である。まず、図８について説明する。表示装置１は遊園地のスタッフの控え室に設置され、表示部１９に表示されるカウント値および区分メッセージを判断することによって、遊園地の各エリアにスタッフを最適に配置するようにしている。
【００４５】
８１は遊園地の入場ゲートであり、白抜き矢印の向きに人が入場するとバー８１Ａが矢印に沿って動き、入場ゲート８１に設けられたスイッチ（不図示）が閉じる。このスイッチは信号入力部２０の入力信号ＩＮ１のラインに接続されているので、入場ゲート８１から人が入場すると、入力信号ＩＮ１がローからハイに変化する。８２は遊園地の退場ゲートであり、白抜き矢印の向きに人が退場するとバー８２Ａが矢印に沿って動き、退場ゲート８２に設けられたスイッチ（不図示）が閉じる。このスイッチは信号入力部２０の入力信号ＩＮ２のラインに接続されているので、退場ゲート８２から人が退場すると、入力信号ＩＮ２がローからハイに変化する。８３は信号出力部２１の出力信号ＯＵＴ１のラインに接続された警告灯であり、出力信号ＯＵＴ１がハイになると点灯する。
【００４６】
次に、図９について説明する。図９（ａ）は、図４（ｂ）に示される設定データである区分個数および境界値＃１および＃２の設定値を示す。図９（ｂ）は、図４（ｃ）に示されるカウンタ制御データの設定値を示す。このように設定されているので、入場ゲート８１から一人入場するとカウンタの値が１だけ増加し、退場ゲート８２から一人退場するとカウンタの値が１だけ減少し、カウンタには遊園地内にいる入場者数が記憶されている。図９（ｃ）は、図４（ｄ）に示される区分データの設定値を示す。図９（ｄ）は、図４（ａ）に示される区分メッセージ（４）〜区分メッセージ（６）の設定値を示す。
【００４７】
次に、図１０について説明する。開場前に表示装置１のリセットスイッチ（不図示）が押され、カウンタに初期値０が設定される（図５のＳ１参照）。そして、人が遊園地に入退場するたびにカウンタが＋１または−１される（図６のＳ２１〜Ｓ２５参照）。カウンタの値が境界値＃２（５００）より小さい（入場者数が０〜４９９人である）ときは、カウンタの値は区分＃３に属する。この場合、図１０（ａ）に示されるように、カウンタの値（３５６）、付帯メッセージ（現在の入場者数、人）、および区分メッセージ（６）（各エリアにスタッフを２人配置）が表示部１９の所定の表示領域にそれぞれ表示される（図７のＳ３４〜Ｓ３６参照）。このとき、カウンタの値は、区分＃３の表示態様データに基づいて、通常の表示モードおよび表示スタイルによって黒色の背景にオレンジ色で表示される。尚、付帯メッセージおよび区分メッセージは、カウンタの値に関係なく、一定の表示態様で、例えば、黒色の背景にオレンジ色で表示される。
【００４８】
遊園地内の入場者数が増加して、カウンタの値が境界値＃２（５００）以上で境界値＃１（１０００）より小さい（入場者数が５００〜９９９人である）ときは、カウンタの値は区分＃２に属する。この場合、図１０（ｂ）に示されるように、カウンタの値（６８８）、付帯メッセージ（現在の入場者数、人）、および区分メッセージ（５）（各エリアにスタッフを３人配置）が表示部１９の所定の表示領域にそれぞれ表示される。このとき、カウンタの値は、区分＃２の表示態様データに基づいて、通常の表示モードおよび表示スタイルによって緑色の背景に赤色で表示される。
【００４９】
更に入場者数が増加して、カウンタの値が境界値＃１（１０００）以上（入場者数が１０００人以上）になると、カウンタの値は区分＃１に属する。この場合、図１０（ｃ）に示されるように、カウンタの値（１２５０）、付帯メッセージ（現在の入場者数、人）、および区分メッセージ（４）（各エリアにスタッフを全員配置）が表示部１９の所定の表示領域にそれぞれ表示される。このとき、カウンタの値は、区分＃１の表示態様データに基づいて、緑色の背景に強調表示された赤色で点滅表示される。また、区分＃１の出力条件は「出力信号ＯＵＴ１を定常的に出力する」となっているので、出力信号ＯＵＴ１が定常的に出力され、警告灯８３が点灯する。
【００５０】
上記のように、カウンタの値（上記の使用例では入場者数）は、カウンタの値が属する区分の表示色、背景色などの表示態様データに基づいて表示部１９に表示される。また、カウンタの値が属する区分の出力条件が「区分メッセージを表示する」に設定されている場合は、区分メッセージ番号で指定された区分メッセージが表示される。そして、各区分の表示態様データおよび区分メッセージは、カウンタの値の状態（上記の使用例では入場者数の多少）に即した適切な表示がされる内容に設定されている。これにより、カウンタの値が示す状況（状態）を看者（上記の使用例では遊園地のスタッフ）に明確に伝え、看者の注意を喚起させることによって、カウンタの状態に応じた処置を看者に確実にとらせることができる。
【００５１】
以上述べた実施形態においては、カウンタの値をカウンタの値が属する区分の表示態様データに基づく表示態様で表示し、付帯メッセージをカウンタの値に関係なく一定の表示態様で表示する場合について説明したが、付帯メッセージも当該表示態様データに基づく表示態様で表示するようにしてもよい。また、上記実施形態では、区分メッセージをカウンタの値に関係なく一定の表示態様で表示するようにしたが、区分メッセージもカウンタの値が属する区分の表示態様データに基づく表示態様で表示するようにしてもよい。
【００５２】
さらに、上記実施形態では、境界情報である境界値によってカウント値を複数の区分に分けたが、別の方法、例えば、各区分の上限値と下限値とによって複数の区分に分けるようにしても本発明を実施することができる。さらに、上記実施形態では、パーソナルコンピュータ２で作成された設定データをフラッシュメモリー１５に記憶させて使用する場合について説明したが、これに限られるものではなく、例えば、ＲＯＭ１３に予め設定データを格納しておき、それを使うようにしても本発明を実施することができる。さらに、上記実施形態では、発光ダイオードを使用した表示部１９を備えた表示装置１について説明したが、本発明は他の表示デバイス（例えば、液晶パネル）を用いた表示部を備えた表示装置にも適用することができる。
【００５３】
次に、上述の設定データの作成について説明する。図１１はパーソナルコンピュータ２の表示部２Ａに表示されるデータ作成画面２Ｂを示す図である。設定データは、パーソナルコンピュータ２の不図示のマウスやキーボードを操作することによって作成される。このデータ作成画面２Ｂは、図４（ａ）に示される第１〜第４カウンタ用データの内、第２カウンタ用データの区分個数および境界値＃１〜＃４を「区分設定」のページで作成しているときの画面である。データの数値は、図３（ａ）の場合に対応している。また、「表示設定」のページでは、図４（ｄ）に示される表示態様データ（表示色〜表示スタイル）が作成される。「カウンタ設定」のページでは、図４（ｃ）に示されるカウンタ制御データが作成される。「出力設定」のページでは、図４（ｄ）に示される出力条件および区分メッセージ番号が作成される。尚、表示装置１の表示部１９に表示されるメッセージデータは、パーソナルコンピュータ２のデータ作成画面（不図示）において複数作成され、各区分メッセージデータの表示領域における表示位置を任意に設定することができる。
【００５４】
また、図４（ａ）に示される表示制御データ、付帯メッセージ（１）〜（ｎ）、および区分メッセージ（１）〜（ｍ）も不図示の他のデータ作成画面において作成される。このデータ作成画面２Ｂおよび不図示の他のデータ作成画面で作成された上記の設定データはパーソナルコンピュータ２のハードディスクに一旦記録され、その後、データ記録媒体であるメモリーカード３に記録され、表示装置１のインタフェイス部１２のメモリーカードリーダによって読み込まれてフラッシュメモリー１５に記録される。
【図面の簡単な説明】
【００５５】
【図１】表示装置のブロック図である。
【図２】表示部の表示例を示す図である。
【図３】カウント値の区分を示す図である。
【図４】設定データの構造を示す図である。
【図５】初期化処理を示すフローチャートである。
【図６】カウント処理を示すフローチャートである。
【図７】表示処理を示すフローチャートである。
【図８】表示装置の使用例の構成を示す図である。
【図９】表示装置の使用例の設定データを示す図である。
【図１０】表示装置の使用例の表示内容を示す図である。
【図１１】パーソナルコンピュータのデータ作成画面を示す図である。
【符号の説明】
【００５６】
１    表示装置
２    パーソナルコンピュータ（データ作成装置）
３    メモリーカード（データ記録媒体）
１１  ＣＰＵ（制御部）
１４  ＲＡＭ（記憶部）
１５  フラッシュメモリー（記憶部）
１６  カレンダーＩＣ
１９  表示部
２０  信号入力部
２１  信号出力部
ＩＮ，ＩＮ１〜ＩＮ１２  入力信号
ＯＵＴ，ＯＵＴ１〜ＯＵＴ１２  出力信号
【図１】
2005274798.tif 000003
【図２】
2005274798.tif 000004
【図３】
2005274798.tif 000005
【図４】
2005274798.tif 000006
【図５】
2005274798.tif 000007
【図６】
2005274798.tif 000008
【図７】
2005274798.tif 000009
【図８】
2005274798.tif 000010
【図９】
2005274798.tif 000011
【図１０】
2005274798.tif 000012
【図１１】
2005274798.tif 000013